(57)【特許請求の範囲】
【請求項１】
細長で長手方向に３組の器具取付手段が設けられた器具取付孔を有する取付枠に対応し、器具取付孔の長手方向に対する外形寸法が器具取付孔の長手方向寸法の略１／３の寸法を整数倍した寸法に形成され、取付枠の器具取付手段に取り付けるための取付手段を有する器体と、器体の内部に収納され、電子回路から構成されて所定のタイマ時間負荷を動作させる電子タイマ回路と、電子タイマ回路に具備され、電子タイマ回路の動作の入り切りを行うもので、操作用押釦が器体表面に開口した開口部に臨んだ押釦スイッチと、負荷及び電源の直列回路を接続するための接続端子と、器体の前面に装着され、前記開口部に臨む前記操作用押釦を前面側より押動可能な可撓性を有する化粧カバーとを備え、該化粧カバーを介して押釦スイッチを一定時間以上押し操作すると、押釦スイッチが押し操作されている間、前記電子タイマ回路のタイマ時間が予め設定された設定時間に順番に切り替わり、押釦スイッチの押し操作を止めた時点での設定時間がタイマ時間に設定されるとともに、前記負荷を操作するための操作スイッチを有する１乃至複数のスイッチ装置が接続され、各スイッチ装置に設けられた操作スイッチの操作に応じて前記電子タイマ回路が動作することを特徴とするタイマスイッチ。
【請求項２】
細長で長手方向に３組の器具取付手段が設けられた器具取付孔を有する取付枠に対応し、器具取付孔の長手方向に対する外形寸法が器具取付孔の長手方向寸法の略１／３の寸法を整数倍した寸法に形成され、取付枠の器具取付手段に取り付けるための取付手段を有する器体と、器体の内部に収納され、電子回路から構成されて所定のタイマ時間負荷を動作させる電子タイマ回路と、電子タイマ回路に具備され、電子タイマ回路の動作の入り切りを行うもので、操作用押釦が器体表面に開口した開口部に臨んだ押釦スイッチと、負荷及び電源の直列回路を接続するための接続端子と、前記器体の前面に装着され、前記開口部に臨む前記操作用押釦を前面側より押動可能な可撓性を有する化粧カバーとを備え、該化粧カバーを介して押釦スイッチを所定時間内に２回連続して押し操作すると、前記電子タイマ回路はタイマ時間の設定時間を切り換える動作モードに移行し、押釦スイッチを１回押し操作する毎にタイマ時間が予め設定された設定時間に順番に切り換わり、再度押釦スイッチを所定時間内に２回連続して押し操作するか又は一定時間以上押釦スイッチの押し操作を止めるか何れかの操作により、その時点での設定時間がタイマ時間に設定されるとともに、前記負荷を操作するための操作スイッチを有する１乃至複数のスイッチ装置が接続され、各スイッチ装置に設けられた操作スイッチの操作に応じて前記電子タイマ回路が動作することを特徴とするタイマスイッチ。
【請求項３】
上記器体の内部には、電子タイマ回路を構成する回路部品が実装された第１のプリント基板と、第１のプリント基板に実装された回路と電気的に接続され上記押釦スイッチが実装された第２のプリント基板とが納装され、上記器体はボディとカバーとを結合して構成され、第１及び第２のプリント基板は両基板の間に絶縁性のスペーサを介装した状態で、ボディとカバーとの間に挟持されることを特徴とする請求項１又は２記載のタイマスイッチ。
【請求項４】
上記接続端子を介して電源供給され上記負荷のオフ時に上記電子タイマ回路の動作電源を生成する第１の電源回路と、負荷のオン時に電子タイマ回路の動作電源を生成する第２の電源回路とを設けたことを特徴とする請求項１乃至３の何れか１つに記載のタイマスイッチ。
【請求項５】
上記電子タイマ回路をマイクロコンピュータで構成したことを特徴とする請求項１乃至４の何れか１つに記載のタイマスイッチ。
【発明の詳細な説明】
【０００１】
【発明の属する技術分野】
本発明は、スイッチ操作時に一定時間負荷を動作させる一時動作スイッチ回路や、オフ操作後に一定時間負荷を動作させる遅れ停止スイッチ回路などの電子タイマ回路を備えた埋め込み配線型のタイマスイッチに関するものである。
【０００２】
【従来の技術】
従来より、浴室やトイレ等に設置された換気扇などの負荷を一定時間動作させるためのタイマスイッチが提供されており、この種のタイマスイッチには、操作部を１回押し操作すると押し操作した時点から所定のタイマ時間（例えば５分）だけ負荷を動作させる一時動作スイッチや、オフ操作後所定のタイマ時間（例えば５分）が経過すると負荷を停止させる遅れ停止スイッチがあった。
【０００３】
【発明が解決しようとする課題】
この種のスイッチはゼンマイ式の遅延機構により構成されているので、一時動作スイッチや遅れ停止スイッチの設定時間は最長でも２時間程度であり、長時間タイマを実現するのが難しいという問題があった。
【０００４】
本発明は上記問題点に鑑みて為されたものであり、その目的とするところは、長時間のタイマを実現することができる埋め込み配線型のタイマスイッチを提供することにある。
【０００５】
【課題を解決するための手段】
上記目的を達成するために、請求項１の発明では、細長で長手方向に３組の器具取付手段が設けられた器具取付孔を有する取付枠に対応し、器具取付孔の長手方向に対する外形寸法が器具取付孔の長手方向寸法の略１／３の寸法を整数倍した寸法に形成され、取付枠の器具取付手段に取り付けるための取付手段を有する器体と、器体の内部に収納され、電子回路から構成されて所定のタイマ時間負荷を動作させる電子タイマ回路と、電子タイマ回路に具備され、電子タイマ回路の動作の入り切りを行うもので、操作用押釦が器体表面に開口した開口部に臨んだ押釦スイッチと、負荷及び電源の直列回路を接続するための接続端子と、器体の前面に装着され、開口部に臨む操作用押釦を前面側より押動可能な可撓性を有する化粧カバーとを備え、該化粧カバーを介して押釦スイッチを一定時間以上押し操作すると、押釦スイッチが押し操作されている間、電子タイマ回路のタイマ時間が予め設定された設定時間に順番に切り替わり、押釦スイッチの押し操作を止めた時点での設定時間がタイマ時間に設定されるとともに、負荷を操作するための操作スイッチを有する１乃至複数のスイッチ装置が接続され、各スイッチ装置に設けられた操作スイッチの操作に応じて電子タイマ回路が動作することを特徴とし、器具取付孔の長手方向に対する器体の外形寸法は器具取付孔の長手方向の略１／３の寸法を整数倍した寸法に形成され、取付枠の器具取付手段に取り付けるための取付手段を器体に設けているので、既存の取付枠を用いて埋め込み配線を行うことができ、しかも電子タイマ回路を用いているので、従来のメカニカルな遅延機構を有するスイッチに比べて高精度で長時間のタイマを実現することができる。
【００１０】
そのうえ請求項１の発明では、化粧カバーを介して押釦スイッチを一定時間以上押し操作すると、押釦スイッチが押し操作されている間、電子タイマ回路のタイマ時間が予め設定された設定時間に順番に切り替わり、押釦スイッチの押し操作を止めた時点での設定時間がタイマ時間に設定されるので、押釦スイッチとは別にタイマ時間を切り換えるためのスイッチを設ける必要がなく、部品数を減らしてコストダウンを図ることができ、しかも押釦スイッチの大きさを大きくすることができるから操作性が向上する。そのうえ、負荷を操作するための操作スイッチを有する１乃至複数のスイッチ装置が接続され、各スイッチ装置に設けられた操作スイッチの操作に応じて上記電子タイマ回路が動作するので、１台の負荷をタイマスイッチと多箇所に設置されたスイッチ装置とで操作することができる。
【００１１】
請求項２の発明では、細長で長手方向に３組の器具取付手段が設けられた器具取付孔を有する取付枠に対応し、器具取付孔の長手方向に対する外形寸法が器具取付孔の長手方向寸法の略１／３の寸法を整数倍した寸法に形成され、取付枠の器具取付手段に取り付けるための取付手段を有する器体と、器体の内部に収納され、電子回路から構成されて所定のタイマ時間負荷を動作させる電子タイマ回路と、電子タイマ回路に具備され、電子タイマ回路の動作の入り切りを行うもので、操作用押釦が器体表面に開口した開口部に臨んだ押釦スイッチと、負荷及び電源の直列回路を接続するための接続端子と、器体の前面に装着され、開口部に臨む操作用押釦を前面側より押動可能な可撓性を有する化粧カバーとを備え、該化粧カバーを介して押釦スイッチを所定時間内に２回連続して押し操作すると、電子タイマ回路はタイマ時間の設定時間を切り換える動作モードに移行し、押釦スイッチを１回押し操作する毎にタイマ時間が予め設定された設定時間に順番に切り換わり、再度押釦スイッチを所定時間内に２回連続して押し操作するか又は一定時間以上押釦スイッチの押し操作を止めるか何れかの操作により、その時点での設定時間がタイマ時間に設定されるとともに、負荷を操作するための操作スイッチを有する１乃至複数のスイッチ装置が接続され、各スイッチ装置に設けられた操作スイッチの操作に応じて電子タイマ回路が動作することを特徴とし、器具取付孔の長手方向に対する器体の外形寸法は器具取付孔の長手方向の略１／３の寸法を整数倍した寸法に形成され、取付枠の器具取付手段に取り付けるための取付手段を器体に設けているので、既存の取付枠を用いて埋め込み配線を行うことができ、しかも電子タイマ回路を用いているので、従来のメカニカルな遅延機構を有するスイッチに比べて高精度で長時間のタイマを実現することができる。さらに化粧カバーを介して押釦スイッチを所定時間内に２回連続して押し操作すると、タイマ時間の設定時間を切り換える動作モードに移行し、押釦スイッチを１回押し操作する毎にタイマ時間が予め設定された設定時間に順番に切り換わり、再度押釦スイッチを所定時間内に２回連続して押し操作するか又は一定時間以上押釦スイッチの押し操作を止めるか何れかの操作により、その時点での設定時間がタイマ時間に設定されるので、押釦スイッチとは別にタイマ時間を切り換えるためのスイッチを設ける必要がなく、部品数を減らしてコストダウンを図ることができ、しかも押釦スイッチの大きさを大きくすることができるから操作性が向上する。そのうえ、負荷を操作するための操作スイッチを有する１乃至複数のスイッチ装置が接続され、各スイッチ装置に設けられた操作スイッチの操作に応じて上記電子タイマ回路が動作するので、１台の負荷をタイマスイッチと多箇所に設置されたスイッチ装置とで操作することができる。
【００１２】
請求項３の発明では、請求項１又は２の発明において、上記器体の内部には、電子タイマ回路を構成する回路部品が実装された第１のプリント基板と、第１のプリント基板に実装された回路と電気的に接続され上記押釦スイッチが実装された第２のプリント基板とが納装され、上記器体はボディとカバーとを結合して構成され、第１及び第２のプリント基板は両基板の間に絶縁性のスペーサを介装した状態で、ボディとカバーとの間に挟持されることを特徴とし、第１及び第２のプリント基板はボディとカバーとで挟持することにより、器体の内部に固定されるので、第１及び第２のプリント基板を器体にねじ固定する場合に比べて取付作業を容易に行うことができ、且つ、第１及び第２のプリント基板にねじ固定するためのスペースを確保する必要がないから、配線パターンを形成できる面積を広くすることができ、その分基板を小型化してスイッチ全体の小型化を図ることができる。
【００１３】
請求項４の発明では、請求項１乃至３の何れか１つの発明において、上記接続端子を介して電源供給され上記負荷のオフ時に上記電子タイマ回路の動作電源を生成する第１の電源回路と、負荷のオン時に電子タイマ回路の動作電源を生成する第２の電源回路とを設けたことを特徴とし、電子タイマ回路は負荷のオン時とオフ時とで異なる電源回路から電源供給されているので、第１及び第２の電源回路をそれぞれ負荷のオフ状態或いはオン状態に合わせた条件で設計することができ、負荷電圧の電圧歪みを低減した回路を実現できる。
【００１５】
請求項５の発明では、請求項１乃至４の何れか１つの発明において、上記電子タイマ回路をマイクロコンピュータで構成したことを特徴とし、高精度で長時間のタイマを実現することができ、且つ、様々な機能を追加する際にもプログラムの変更などにより大幅な回路変更を行うことなく容易に対応することができる。
【００１６】
【発明の実施の形態】
本発明の実施の形態を図面を参照して説明する。
【００１７】
（基本構成）
先ず初めに、本発明に係るタイマスイッチの基本構成を図１乃至図６に基づいて説明する。このタイマスイッチＡの器体１は、合成樹脂成型品からなるボディ２及びカバー３から構成され、器体１の大きさは３組の器具取付手段を有する器具取付孔５を中間部に設けた取付枠４に対応し、器具取付孔５の長手方向に対応する外形寸法が器具取付孔５の長手方向寸法の略３分の１の寸法（以下１個モジュール寸法という、例えばＪＩＳ規格で規格化された大角形連用配線器具の単位寸法）に形成され、取付枠４の器具取付手段に取り付けられるようになっている。なお、取付枠４は両側の側枠片４ａにそれぞれ３対の係止孔６を設けて器具取付手段を構成している。
【００１８】
ボディ２は上面が開口した略箱状のものであり、器具取付孔５の短幅方向における両側部には接続端子を収納する端子収納部１１，１１が、中央部には回路部品を収納する回路ブロック収納部１２が設けられており、一方の端子収納部１１には鎖錠ばね７及び端子板８からなる速結端子型の接続端子９が２対と、これら接続端子９の電線接続状態を解除する解除釦１０が収納されている。そして、各端子収納部１１の底部には電線を挿入するための電線挿入孔２６を各接続端子９に対応して開口するとともに、解除釦１０を押し動かすためにマイナスドライバ等の治具の先端を挿入するための治具挿入孔２７を解除釦１０に対応して開口してある。
【００１９】
また、ボディ２の開口部には図７に示す電子タイマ回路の電子部品を実装した第１のプリント基板１５が配置され、図６に示すようにプリント基板１５をボディ２内面に突設されたリブ２５上に載置すると、プリント基板１５の裏面に実装した大型の電子部品がボディ２の回路ブロック収納部１２に収納される。尚、図６ではプリント基板１５に実装された電子部品や接続端子１０を省略して図示してある。また、端子収納部１１の開口部に臨むプリント基板１５裏面の一端両側には上記端子板８，８を半田付けしてあり、プリント基板１５を回路ブロック収納部１２の開口部上に載置すると、予め端子収納部１１内に収納しておいた鎖錠ばね７を内包するように、端子板８が端子収納部１１内に垂下配置されるようになっている。ここに、各端子板８の一端から図１中上方へ突出してある突片８ａがプリント基板１５の孔１５ａに裏面側から挿入され、プリント基板１５に半田付けされる片である。
【００２０】
プリント基板１５の回路はケーブル１４を介して、負荷を所定時間動作させる際の動作時間、すなわちタイマ時間を切り換えるためのスライドスイッチからなる動作切り換えスイッチＳＷ１、電子タイマ回路の入り切り操作のためのタクトスイッチからなる押釦スイッチＳＷ２及び動作表示用の発光ダイオードＬＥＤ１などを実装した第２のプリント基板１６の回路に電気的に接続されている。プリント基板１６は、例えばＡＢＳ樹脂などの絶縁性の合成樹脂から形成されたスペーサ１３を介してプリント基板１５上に配置され、表面側に実装されている動作切り換えスイッチＳＷ１、押釦スイッチＳＷ２及び発光ダイオードＬＥＤ１はボディ２の開口部に被着されるカバー３内に収納される。ここで、図６に示すようにボディ２とカバー３とを結合すると、プリント基板１６の上面はカバーの内面に突設したリブ２８と係止し、２枚のプリント基板１５，１６は、両基板１５，１６の間にスペーサ１３を介装した状態でボディ２とカバー３との間に挟持されて固定されるので、例えばタッピングねじなどを用いてプリント基板１５，１６をボディ２或いはカバー３にねじ固定する場合に比べて取付作業の手間を少なくでき、またプリント基板１５，１６を固定するためのねじが不要になるから部品数を減らしてコストダウンを図ることができ、しかも基板をねじ固定する場合にはねじ固定する部分に配線パターンを形成することはできないが、プリント基板１５，１６にねじ固定のためのスペースを確保する必要がないから、配線パターンを作成できる面積を広くすることができ、その分プリント基板１５，１６を小型化して、スイッチ全体の小型化を図ることができる。
【００２１】
一方、カバー３は前面が略矩形状であって、前方に突出する突台部３ａの両側に段部３ｂ，３ｂが設けられており、突台部３ａが取付枠４の器具取付孔５に図１中下方から嵌合して上方へ突出する。突台部３ａ前面に開口した窓２３ａには動作切り換えスイッチＳＷ１の摘み１７が対向しており、この摘み１７にはカバー３の前面側からスライダ操作摘み部１８が被せられている。また、押釦スイッチＳＷ２の駆動釦１９にはコイルばね２２を介して下面が開口した略箱状の操作用押釦２０が被せられており、この押釦２０は突台部３ａ前面に設けた開口２３ｂから露出する。なお、押釦２０の開口縁には鍔２０ａが突設されており、鍔２０ａが開口２３ｂの開口縁と係止することにより、抜け止めが行われる。また、発光ダイオードＬＥＤ１は突台部３ａ前面に開口した窓２３ｃに対向するようになっている。
【００２２】
ここでタイマスイッチＡの器体１はボディ２とカバー３とを一対の組立枠２１，２１にて結合することにより組み立てられる。組立枠２１は帯板状の基板部２１ａの両端に組立脚２１ｂが突設されて成る。そして、組立枠２１の基板部２１ａをカバー３に設けられた段部３ｂ上に載置し、組立脚２１ｂをカバー３側面及びボディ２側面に夫々設けた取付凹部３ｃ，２ａ内に位置決めして、組立脚２１ｂの先端に形成された二股の爪２１ｃを左右に拡径することでボディ２とカバー３とが結合されて器体１が組み立てられる。また、組立枠２１の基板部２１ａにおける一側縁の両端近傍には一対の係止爪２１ｄが突設されるとともに、他側縁には係合孔２１ｆを有する起立片２１ｅが組立脚２１ｂと反対方向に突設してあり、後述するように係止爪２１ｄ又は係合孔２１ｆの何れかを利用して、金属製の取付枠或いは合成樹脂製の取付枠の何れにも器体１を取り付けることができるようになっている。ここに、係止爪２１ｄ及び係合孔２１ｆから取付手段が構成される。
【００２３】
而して、上述のように構成され組み立てられたタイマスイッチＡは図１に示す合成樹脂製の取付枠４に装着されることにより建物の壁等に設けられた埋め込み孔やスイッチボックス（図示せず）へ取り付けられ、電子タイマ回路に対応する負荷（例えば浴室などに設置された換気扇）が先行配線された電線により器体１裏面の電線挿入孔２６を用いて接続されるのである。
【００２４】
取付枠４は、両側枠片４ａの両端部間を橋絡する枠片４ｂに設けられた長孔３１に挿通する取付ねじ３２によりスイッチボックスに取り付け固定できるのは勿論のこと、壁パネル等には取付孔３３に挿通させた木ねじ等で直接的に固定することができ、また壁パネルを挟むことにより固定する挟み金具を用いることができるように挟み金具を取り付けるための孔３４を設けてある。
【００２５】
この取付枠４の前面側にはプレート枠３５がねじ３６をねじ孔３９に締結することにより固定されるようになっている。このプレート枠３５の前面側には化粧プレート３７が装着され、化粧プレート３７の中央部に設けられた窓孔３８からカバー３の突台部３ａが室内側に露出される。なお、化粧プレート３７の裏面には、プレート枠３５に形成した係止孔４０に係止する係止爪（図示せず）が突設してあり、この係止爪を係止孔４０に係止させることによって化粧プレート３７をプレート枠３５の前面側に装着するのである。
【００２６】
次にタイマスイッチＡの回路構成を図７を参照して説明する。この電子タイマ回路１００では、浴室などに設置された換気扇ＲＬと交流電源ＡＣとの直列回路を接続する接続端子Ｔ１１，Ｔ１２間に、ＺＮＲのようなサージ吸収素子Ｚ１、フィルタ用のコンデンサＣ１を夫々接続するとともに、フィルタ用のインダクタＬ１を介してトライアックＴＲＣ１を接続する。トライアックＴＲＣ１のＴ２端子とＴ１端子との間には、ダイオードブリッジからなる整流器ＤＢ１を介して抵抗Ｒ１及びコンデンサＣ２の並列回路が接続されており、抵抗Ｒ１及びコンデンサＣ２の並列回路はトライアックＴＲＣ１のゲートＧとＴ１端子との間に接続してあり、トライアックＴＲＣ１がターンオンすると、換気扇ＲＬがトライアックＴＲＣ１及びインダクタＬ１を介して交流電源ＡＣに接続され、換気扇ＲＬを駆動するようになっている。
【００２７】
整流器ＤＢ１の直流出力端子間には抵抗Ｒ２及びツェナダイオードＺＤ１からなる第１の電源回路１０１が接続されており、ツェナダイオードＺＤ１により得られた直流電圧は、更に３端子レギュレータＩＣ１０３により例えば３Ｖに降圧安定化され、この安定化された電圧はタイマＩＣ１０６等の動作電源電圧として供される。
【００２８】
また整流器ＤＢ１の直流出力端子間には、トライアックＴＲＣ１をターンオンさせるためのサイリスタＳＣＲ１が接続され、サイリスタＳＣＲ１のゲートとカソードとの間には抵抗Ｒ３及びコンデンサＣ３の並列回路が接続される。サイリスタＳＣＲ１のアノードには、べース・エミッタ間に抵抗Ｒ４が接続されたＰＮＰ型トランジスタＱ１のエミッタが接続されており、トランジスタＱ１のコレクタは、ツェナダイオードＺＤ２を介してサイリスタＳＣＲ１のゲートに接続されるとともに、ダイオードＤ１を介して３端子レギュレータＩＣ１０３の電圧入力端子に接続される。また、トランジスタＱ１のベースは抵抗Ｒ５を介してＮＰＮ型トランジスタＱ２のコレクタに接続される。トランジスタＱ２のエミッタは回路のグランドに接続されており、トランジスタＱ２のベースはＮＰＮ型トランジスタＱ３のコレクタに接続されている。トランジスタＱ３のエミッタは回路のグランドに接続され、トランジスタＱ３のベースは抵抗を介してタイマＩＣ１０６の出力端子Ｆ１に接続されている。ここに、トランジスタＱ１、抵抗Ｒ４、ダイオードＤ１及びツェナダイオードＺＤ２などから第２の電源回路１０２が構成される。
【００２９】
ここで、トランジスタＱ３のコレクタは電源電圧にプルアップされており、タイマＩＣ１０６の出力端子Ｆ１の信号レベルがハイレベルになると、トランジスタＱ３がオンし、トランジスタＱ２がオフする。トランジスタＱ２がオフすると、トランジスタＱ１がオフするので、３端子レギュレータＩＣ１０３にはツェナダイオードＺＤ１により定電圧化された電源が供給される。この時、トライアックＴＲＣ１のゲートにはターンオンするのに必要なだけの電流が流れないので、トライアックＴＲＣ１はオフしており、換気扇ＲＬへの電源供給は遮断される。
【００３０】
一方、タイマＩＣ１０６の出力端子Ｆ１の信号レベルがローレベルになると、トランジスタＱ３がオフし、トランジスタＱ２がオンする。トランジスタＱ２がオンするとトランジスタＱ１がオンし、整流器ＤＢ１からトランジスタＱ１及びダイオードＤ１を介して３端子レギュレータＩＣ１０３に電源が供給され、３端子レギュレータＩＣ１０３がタイマＩＣ１０６などの動作電源を生成する。ここで、ツェナダイオードＺＤ２のカソードの電位がブレーク・ダウン電圧よりも高くなると、ツェナダイオードＺＤ２に逆方向電流が流れ、ツェナダイオードＺＤ２を介してサイリスタＳＣＲ１のゲートに電流が流れてサイリスタＳＣＲ１が導通する。サイリスタＳＣＲ１が導通すると、交流電源ＡＣの半サイクル毎にトライアックＴＲＣ１のゲートにターンオンするのに必要な電流が流れ、トライアックＴＲＣ１がターンオンして、換気扇ＲＬに電源が供給される。
【００３１】
このように、タイマＩＣ１０６の動作電源を生成する３端子レギュレータＩＣ１０３には換気扇ＲＬのオフ時とオン時とで異なる電源回路から電源供給されており、換気扇ＲＬのオン時には第２の電源回路１０２から３端子レギュレータＩＣ１０３に電子タイマ回路が動作するのに必要なだけの電力を供給し、残りの電力を換気扇ＲＬに供給しているので、換気扇ＲＬに印加される負荷電圧の電圧歪みを低減することができ、換気扇ＲＬのオフ時には第１の電源回路１０１から、ツェナダイオードにより定電圧化した電圧を３端子レギュレータＩＣ１０３に供給しているので、押釦スイッチＳＷ２の押し操作によって換気扇ＲＬが短時間でオンオフされるような場合にも対応できる。
【００３２】
タイマＩＣ１０６は、換気扇ＲＬを所定のタイマ時間動作させるように、サイリスタＳＣＲ１をターンオンするタイミングを制御する。タイマＩＣ１０６は例えば２つのタイマ動作時間設定端子Ｓ１，Ｓ２を備えており、タイマ動作時間設定端子Ｓ１，Ｓ２の信号レベルに応じてタイマ時間が切り換えられる。すなわち、動作切り換えスイッチＳＷ１の切り換え操作によって、タイマ動作時間設定端子Ｓ１，Ｓ２の何れか一つがローレベルになると、タイマＩＣ１０６は当該端子に対応するタイマ時間を選定するのであり、例えばタイマ動作時間設定端子Ｓ１，Ｓ２の内Ｓ１がローレベルになると４時間のタイマ動作、Ｓ２がローレベルになると２時間のタイマ動作、Ｓ１，Ｓ２が共にハイレベルになると連続動作を行うようになっている。
【００３３】
タイマＩＣ１０６のスイッチ入力ポートＳ３は押釦スイッチＳＷ２を介してグランドに接続されるようになっており、押釦スイッチＳＷ２が押し操作されるとローレベルに立ち下がる。タイマＩＣ１０６は待機中に押釦スイッチＳＷ２が押し操作され、スイッチ入力ポートＳ３がローレベルに立ち下がった時点で、動作切り換えスイッチＳＷ１により設定されたタイマ時間（すなわち４時間のタイマ動作、２時間のタイマ動作又は連続動作）で動作を開始し、その後再び押釦スイッチＳＷ２が押し操作されてスイッチ入力ポートＳ３がローレベルに立ち下がるか、又は設定されたタイマ時間が経過すると、その時点で動作を停止する。ここで、タイマＩＣ１０６は、動作切り換えスイッチＳＷ１により設定されたタイマ時間で動作を開始すると、タイマ動作期間中或いは連続動作期間中に、制御出力端子Ｆ１をローレベルとして、トランジスタＱ３をオフさせる。トランジスタＱ３がオフすると、トランジスタＱ２がオン、トランジスタＱ１がオンして、整流器ＤＢ１からトランジスタＱ１及びダイオードＤ１を介して３端子レギュレータＩＣ１０３に電源供給される。この時、ツェナダイオードＺＤ２のカソードの電位がブレーク・ダウン電圧よりも高くなると、ツェナダイオードＺＤ２を介してサイリスタＳＣＲ１のゲートに電流が流れてサイリスタＳＣＲ１が導通する。サイリスタＳＣＲ１が導通すると、交流電源ＡＣの半サイクル毎にトライアックＴＲＣ１のゲートにターンオンするのに必要な電流が流れ、トライアックＴＲＣ１がターンオンして、換気扇ＲＬに電源が供給される。
【００３４】
尚、１０４は電源投入時にタイマＩＣ１０６をリセットするためのリセットＩＣ、１０５はタイマＩＣ１０６の基準クロック発生回路である。また発光ダイオードＬＥＤ１は表示出力端子Ｆ２〜Ｆ４に接続され、タイマＩＣ１０６がタイマ動作中或いは連続動作中に表示出力端子Ｆ２〜Ｆ４がローレベルに設定されることにより、発光ダイオードＬＥＤ１に電流が流れて発光し、タイマ動作中或いは連続動作中であることを表示する。
【００３５】
ところで、図１ではタイマスイッチＡのみを取付枠４に取り付けた状態を示しているが、タイマスイッチＡの器体１は、取付枠４の器具取付孔５の長手方向に対応する外形寸法が器具取付孔５の長手方向寸法の略３分の１の寸法に形成されているので、このタイマスイッチＡを１個モジュール寸法の他の配線器具２個、或いは２個モジュール寸法（すなわち器具取付孔５の長手方向に対応する外形寸法が器具取付孔５の長手方向寸法の略３分の２の寸法）の他の配線器具１個とともに取付枠４に並設することができる。
【００３６】
図８はタイマスイッチＡを、風量を強弱２段階に切り換えるための強端子及び弱端子が設けられ浴室に設置された換気扇ＲＬのタイマ動作に用い、このタイマスイッチＡを、換気扇ＲＬの風量を強又は弱に切り換えるための強弱切替用スイッチＢ、及び、浴室に設置された照明負荷Ｌをオンオフするための照明用スイッチＣとともに配設した状態を示し、図９は各スイッチＡ〜Ｃの結線状態を示している。タイマスイッチＡの一方の接続端子Ｔ１１は交流電源ＡＣの一端に接続され、交流電源ＡＣの他端は換気扇ＲＬの共通端子に接続される。タイマスイッチＡの他方の接続端子Ｔ１２は強弱切替用スイッチＢを介して換気扇ＲＬの強端子又は弱端子に接続される。ここで、強弱切替用スイッチＢの切替操作を行うと、交流電源ＡＣが接続される換気扇ＲＬの端子が強端子又は弱端子に切り換えられ、換気扇ＲＬの風量が強又は弱に切り換えられる。また、照明負荷Ｌは照明用スイッチＣを介して交流電源ＡＣに接続されており、照明用スイッチＣのオンオフ操作に応じて照明負荷Ｌが点灯又は消灯する。
【００３７】
また、マンションなどでは１台の換気扇を用いて複数箇所に設けられた吸い込み口から換気を行う場合があり、図１０に示すように、このタイマスイッチＡを親機とし、複数箇所の吸い込み口に対応して設けられた複数台（例えば２台）の子機（スイッチ装置）Ｄ１，Ｄ２をタイマスイッチＡに接続して１台の換気扇ＲＬを多箇所で操作できるようにしている。
【００３８】
タイマスイッチＡの接続端子Ｔ１１，Ｔ１２には交流電源ＡＣ及び換気扇ＲＬが接続されている。また、接続端子Ｔ１１，Ｔ１２間にはトライアックＴＲＣ１が接続されている。制御回路１００は、上述のように整流器ＤＢ１、定電圧回路１０１，１０２、３端子レギュレータＩＣ１０３、タイマＩＣ１０６などからなり、タイマＩＣ１０６によってトライアックＴＲＣ１のオンオフを制御している。また、整流器ＤＢ１、定電圧回路１０１，１０２及び３端子レギュレータ１０３によりタイマＩＣ１０６などの動作電源を生成し、生成した動作電源を送り接続端子Ｔ２１，Ｔ２２から子機Ｄ１，Ｄ２に供給している。
【００３９】
子機Ｄ１の接続端子Ｔ１３，Ｔ１４は、それぞれ、ケーブル４２を介してタイマスイッチＡの送り接続端子Ｔ２１，Ｔ２２に接続される。子機Ｄ１の接続端子Ｔ１３，Ｔ１４の間にはツェナダイオードＺＤ３及びトランジスタＱ３の直列回路が接続されており、トランジスタＱ３は制御回路１１１によってオンオフされる。制御回路１１１は、タイマスイッチＡから接続端子Ｔ１３，Ｔ１４に供給された動作電源により動作し、操作スイッチＳＷ３が操作されるとトランジスタＱ３をオンする。トランジスタＱ３がオンすると接続端子Ｔ１３，Ｔ１４間にツェナダイオードＺＤ３が接続され、接続端子Ｔ１３，Ｔ１４間の電位がツェナダイオードＺＤ３のツェナー電圧にクランプされる。したがって、タイマスイッチＡの制御回路１００では送り接続端子Ｔ２１，Ｔ２２間の電圧をチェックし、送り接続端子Ｔ２１，Ｔ２２間の電圧が所定電圧に低下することから子機Ｄ１，Ｄ２において換気扇ＲＬのオンオフ操作が行われたことを検出し、子機Ｄ１，Ｄ２でのオンオフ操作に応じてトライアックＴＲＣ１をターンオン又はターンオフして、換気扇ＲＬを運転又は停止させるので、換気扇ＲＬを多箇所から操作することができる。また、子機Ｄ１には動作表示用の発光ダイオードＬＥＤ３を設けているので、発光ダイオードＬＥＤ１の点灯状態から換気扇ＲＬや子機Ｄ１の動作状態を容易に確認することができる。尚、子機Ｄ２の構成は子機Ｄ１と同様であるので、その説明は省略する。
【００４０】
図１３はタイマスイッチＡと強弱切替用スイッチＢとを用いて換気扇ＲＬの運転状態（タイマ運転や風量）を切り換えるとともに、このタイマスイッチＡを親機としてタイマスイッチＡに複数台の子機Ｄ１，Ｄ２を接続し、多箇所から換気扇ＲＬの運転操作を行う場合の状態遷移を示している。この図によれば、待機状態（オフ）中に押釦スイッチＳＷ２が押し操作されると、押釦スイッチＳＷ２の押し操作[1]毎に、所定の動作モード、すなわち４時間後にオフ（以下、タイマ１動作という）、２時間後にオフ（以下、タイマ２動作という）、連続オンのいずれかでの運転状態（オン）と待機状態（オフ）への復帰とを繰り返し、タイマ動作終了時[2]には待機状態（オフ）へ復帰するようになっている。運転状態において強弱切替用スイッチＢの切り換え操作[3]毎に換気扇ＲＬは強運転又は弱運転に交互に切り換えられる。また、運転状態において動作切り替えスイッチＳＷ１を用いて連続オン操作[4]を行うと連続動作での運転状態に切り換えられ、タイマ１操作[5]を行うとタイマ１動作での運転状態に切り換えられ、タイマ２操作[6]を行うとタイマ２動作での運転状態に切り換えられる。また、待機状態中に子機Ｄ１，Ｄ２の操作スイッチＳＷ３，ＳＷ４が操作され、子機Ｄ１，Ｄ２から子機入力が入力されると（図１３の[7]）、子機Ｄ１，Ｄ２のみが動作状態となり、タイマスイッチＡは子機入力に応じて換気扇ＲＬを動作させ、子機入力がなくなると（図１３の[8]）、待機状態に復帰する。尚、上記の説明では図１３中の丸付き数字を[]で括った数字として表記している。
【００４１】
ところで、このタイマスイッチＡでは、図２（ａ）に示すように、カバー３に設けた突台部３ａの図中下側に押釦スイッチＳＷ２の押釦２０を配置し、図中上側に動作切り換えスイッチＳＷ１のスライダ操作摘み部１８と発光ダイオードＬＥＤ１とを左右に並べて配置しているが、図１５に示すように、突台部３ａの図中下側に押釦スイッチＳＷ２の押釦２０を配置するとともに、図中上側に動作切り換えスイッチＳＷ１のスライダ操作摘み部１８を配置し、押釦２０の前面に設けた窓孔２０ｂ内に臨むようにして動作表示用の発光ダイオードＬＥＤ１を押釦２０内に収納しても良く、発光ダイオードＬＥＤ１とスライダ操作摘み部１８とを並べて配置する場合に比べて、スライダ操作摘み部１８の大きさを大きくすることができ、操作性が向上する。
【００４２】
また、図１６に示すように、動作切り換えスイッチＳＷ１にロータリスイッチを用い、押釦スイッチＳＷ２の駆動部１９に前面が略円形状に形成された押釦２０’を被せて、この押釦２０’をカバー３の突台部３ａに設けた開口から露出させ、押釦２０’の外周に沿って回動自在に取り付けられた操作リング４０から動作切り換えスイッチＳＷ１の操作部を構成したものもあり、操作リング４０を所定の位置まで回転させることによってタイマ時間を所望の時間に設定し、操作リング４０の内側の押釦２０’を押し操作することにより、換気扇ＲＬがオンオフされる。このように、押釦２０’の外周に沿って回動自在に取り付けられた操作リング４０から動作切り換えスイッチＳＷ１の操作部を構成しているので、押釦スイッチＳＷ２の押釦２０’と動作切り換えスイッチＳＷ１の操作リング４０とを纏まりよく配置することができる。
【００４３】
ところで、図１７及び図１８はタイマスイッチの一実施形態を示した正面図であり、カバー３の突台部３ａにおける押釦スイッチＳＷ２に対応する部位に可撓性を有する樹脂製シート（メンブレンシート）２４を配設しており、樹脂製シート２４の押釦スイッチＳＷ２に対応する部位を押圧すると、樹脂製シート２４が内側に撓んで押釦スイッチＳＷ２を押し操作することができる。ここで、器体１の内部には動作表示用の発光ダイオード（図示せず）が配設され、発光ダイオードに対応する樹脂製シート２４の部位には光が透過するように透明部位からなる表示窓２４ａを設けてあり、この表示窓２４ａを通して動作表示用の発光ダイオードの光が外部より視認できるようになっている。
【００４４】
図１７及び図１８に示すタイマスイッチでは動作切り換えスイッチＳＷ１を省略しており、初期状態ではタイマ時間が約４時間に設定されている。ここで、表示窓２４ａは「２Ｈ」「４Ｈ」「連続」の３つの領域に分かれており、タイマ時間の設定に応じて対応する領域が点灯するようになっている。なお、オフ状態では動作表示用の発光ダイオードは消灯している。図１７に示すスイッチでは、オフ状態から樹脂製シート２４を介して押釦スイッチＳＷ２を押すと、タイマ時間の設定値（２時間後にオフ、４時間後にオフ、又は連続オン）に対応する表示窓２４ａの領域が点灯し、タイマ時間の設定に応じてタイマ動作を開始する。また、オフ状態から樹脂製シート２４を介して押釦スイッチＳＷ２を２秒以上押し続けると、タイマ時間の切り換え動作を開始し、タイマ時間の設定が「４Ｈ」「連続」「２Ｈ」…のように順番に切り替わり、対応する表示窓２４ａの領域が点灯する。そして、押し操作をやめた時点で点灯中の領域に対応する設定値にタイマ時間が設定される。
【００４５】
また図１８に示すスイッチでは、オフ状態から樹脂製シート２４を介して押釦スイッチＳＷ２を短い時間間隔で続けて２回押し操作すると、タイマ時間の切り換え動作を開始し、タイマ時間の現在の設定値に対応する表示窓２４ａの領域が点滅を開始する。この状態で樹脂製シート２４を介して押釦スイッチＳＷ２を１回押し操作すると、押釦スイッチＳＷ２を押している間、タイマ時間の設定が「４Ｈ」「連続」「２Ｈ」…のように順番に切り替わり、対応する表示窓２４ａの領域が点滅する。タイマ時間の設定値が所望の設定値に切り換わった状態で押釦スイッチＳＷ２を短い時間間隔で続けて２回押し操作するか、又はその状態で５秒程度放置すると、発光ダイオードが点滅状態から点灯状態に切り替わり、点灯中の領域に対応する設定値にタイマ時間が設定される。
【００４６】
図１４は上述した図１８のタイマスイッチＡと強弱切替用スイッチＢとを用いて換気扇ＲＬの運転状態（タイマ運転や風量）を切り換えるとともに、このタイマスイッチＡを親機としてタイマスイッチＡに複数台の子機Ｄ１，Ｄ２を接続し、多箇所から換気扇ＲＬの運転操作を行う場合の状態遷移を示している。この図によれば、待機状態（オフ）中に押釦スイッチＳＷ２が押し操作されると、押釦スイッチＳＷ２の押し操作[1]毎に、所定の動作モード、すなわちタイマ１動作、タイマ２動作、連続オンのいずれかでの運転状態（オン）と待機状態（オフ）への復帰とを繰り返し、タイマ動作終了時[2]には待機状態（オフ）へ復帰するようになっている。運転状態において強弱切替用スイッチＢの切り換え操作[3]毎に換気扇ＲＬは強運転又は弱運転に交互に切り換えられる。また、運転状態において押釦スイッチＳＷ２を例えば２秒以上押し続けると（図１４の[4]）、タイマ時間の設定値がタイマ１（４時間後にオフ）→タイマ２（２時間後にオフ）→連続オンのように順番に切り替わり、手を離した時点での設定値にタイマ時間が設定される。また、待機状態中に子機Ｄ１，Ｄ２の操作スイッチＳＷ３，ＳＷ４が操作され、子機Ｄ１，Ｄ２から子機入力が入力されると（図１４の[7]）、子機Ｄ１，Ｄ２のみが動作状態となり、タイマスイッチＡは子機入力に応じて換気扇ＲＬを動作させ、子機入力がなくなると（図１４の[8]）、待機状態に復帰する。尚、上記の説明では図１４中の丸付き数字を[]で括った数字として表記している。
【００４７】
（参考例）
図１９に他の構成のタイマスイッチＡ’の分解斜視図を示す。尚、上述した図１のタイマスイッチＡと同一の構成要素には同一の符号を付して、その説明を省略する。基本構成で説明したタイマスイッチＡではタイマ時間を切り換えるための動作切り換えスイッチＳＷ１を設けていたが、本参考例のタイマスイッチＡ’ではタイマ時間を切り換えるための動作切り換えスイッチを備えておらず、押釦スイッチＳＷ２を１回押し操作すると、押し操作を行った時点から予め設定されたタイマ時間の間だけ負荷を動作させている。
【００４８】
プリント基板１６には押釦スイッチＳＷ１と動作表示用の発光ダイオードＬＥＤ１とが配設されている。押釦スイッチＳＷ１の駆動釦１９には、コイルばね２２を介して下面が開口した略箱状の押釦２０が被せられており、この押釦２０はカバー３の突台部３ａ前面に設けられた開口２３ｄから露出する。なお発光ダイオードＬＥＤ１は押釦２０の前面に設けられた窓２０ｂに対向するようになっており、窓２０ｂを介して発光ダイオードＬＥＤ１の点灯状態を視認することができる。
【００４９】
図２０はこのタイマスイッチＡ’を２個の照明用スイッチＣ１，Ｃ２とともに並設した状態を示しており、図２１にその結線図を示す。タイマスイッチＡ’の接続端子Ｔ１１，Ｔ１２間には、照明用スイッチＣ１，Ｃ２の送り接続端子を介して、換気扇ＲＬ及び交流電源ＡＣの直列回路が接続される。また、照明用スイッチＣ１（Ｃ２）には交流電源ＡＣ及び照明負荷Ｌ１（Ｌ２）の直列回路が接続されており、照明用スイッチＣ１，Ｃ２のオンオフ操作に応じて、照明負荷Ｌ１，Ｌ２が点灯又は消灯する。
【００５０】
なお、タイマスイッチＡ’では、押釦スイッチＳＷを１回押し操作すると、押し操作を行った時点から予め設定されたタイマ時間の間だけ換気扇ＲＬを動作させているが、押釦スイッチＳＷ１を用いてオフ操作を行った時点から予め設定されたタイマ時間が経過すると換気扇ＲＬを停止させるように電子タイマ回路を構成しても良い。また、図２２に示すようにボディ２に設けた２カ所の端子収納部１１，１１にそれぞれ一対づつ接続端子９を収納して、接続端子Ｔ１１，Ｔ１２を構成する一対の接続端子９と、送り配線用の送り接続端子Ｔ２１，Ｔ２２を構成する一対の接続端子９とを収納しても良い。
【００５１】
ところで図１１は、洗面所とトイレと浴室の３カ所に換気扇ＲＬの吸い込み口を設け、洗面所とトイレと浴室とにそれぞれ設置されたスイッチにより１台の換気扇ＲＬをオンオフするシステムの結線図を示している。洗面室には図１１及び図１２（ａ）に示すように、換気扇ＲＬのオンオフ操作を行うためのスイッチＥと、洗面室に設置された２台の照明負荷Ｌ１、Ｌ２のオンオフ操作を行うための照明用スイッチＣ１，Ｃ２とが設けられ、各スイッチＥ，Ｃ１，Ｃ２はそれぞれ配線器具の１個モジュール寸法に形成され、取付枠４を用いて埋め込み配設されており、各スイッチＥ，Ｃ１，Ｃ２の操作部が化粧プレート３７ａに設けた開口から露出している。
【００５２】
またトイレには図１１及び図１２（ｂ）に示すように、換気扇ＲＬのオンオフ操作を行うための一時遅れスイッチ回路を有するタイマスイッチＡ’と、トイレに設置された照明負荷Ｌ３のオンオフ操作を行うための照明用スイッチＣ３とが設けられ、各スイッチＡ’，Ｃ３はそれぞれ配線器具の１個モジュール寸法に形成され、取付枠４を用いて埋め込み配設され、各スイッチＡ’，Ｃ３の操作部が化粧プレート３７ｂに設けた開口窓から露出している。
【００５３】
さらに浴室には図１１及び図１２（ｃ）に示すように、換気扇ＲＬのオンオフ操作を行うための一時遅れスイッチ回路を有するタイマスイッチＡと、トイレに設置された照明負荷Ｌ４のオンオフ操作を行うための照明用スイッチＣ４とが設けられ、各スイッチＡ，Ｃ４はそれぞれ配線器具の１個モジュール寸法に形成され、取付枠４を用いて埋め込み配設され、各スイッチＡ，Ｃ４の操作部が化粧プレート３７ｃに設けた開口窓から露出している。ここに、親機であるスイッチＥはタイマ回路以外の回路構成は上述したタイマスイッチＡと同様であり、スイッチＥには複数の子機（タイマスイッチＡ，Ａ’）が接続され、タイマスイッチＡ，Ａ’の押釦スイッチが押し操作され、所定のタイマ時間でタイマ動作を行うと、スイッチＥはタイマスイッチＡ，Ａ’のタイマ動作に応じて換気扇ＲＬを一定時間オン動作させる。
【００５４】
図２３にまた別の構成のタイマスイッチＡ”の分解斜視図を示す。尚、上述した図１のタイマスイッチＡと同一の構成要素には同一の符号を付して、その説明を省略する。
【００５５】
このタイマスイッチＡ”の器体１は、合成樹脂成型品からなるボディ２及びカバー３から構成されたもので、器体１の大きさは３組の器具取付手段を有する器具取付孔５を中間部に設けた金属製の取付枠４’に対応し、器具取付孔５の長手方向に対応する外形寸法が器具取付孔５の長手方向寸法の略２／３の寸法（２個モジュール寸法）に形成され、取付枠４’の器具取付手段に取り付けられるようになっている。
【００５６】
器体１をカバー３とともに構成するボディ２は、図２３において上面が開口した箱状のものであり、上記器具取付孔５の長手方向に対応する一端部には鎖錠ばね７及び端子板８からなる速結端子型の接続端子９を２対と、これら接続端子９の電線の鎖錠状態を解除する解除釦１０をそれぞれ収納する端子収納部１１，１１を設け、またこの端子収納部１１，１１に隣接するように回路ブロック収納部１２を設けてある。ここで端子収納部１１，１１を一端部側に設けることにより、回路ブロック収納部１２の収納スペースを大きくとれるようにしてある。そして端子収納部１１，１１の底部には電線を挿入するための電線挿入孔（図示せず）を各接続端子９に対応して開口するとともに、解除釦１０を押し動かすための治具挿入孔（図示せず）を開口してある。
【００５７】
さてボディ２に設けた回路ブロック収納部１２の開口部には、上述した図７に示す電子タイマ回路を構成する回路部品を実装したプリント基板１５を配置し、プリント基板１５の裏面に実装した大型の電子部品を回路ブロック収納部１２内に収納している。プリント基板１５の回路はケーブル１４により、タイマ時間を切り換え選択するためのスライドスイッチからなる動作切り換えスイッチＳＷ１、電子タイマ回路の入り切り操作のためのタクトスイッチからなる押釦スイッチＳＷ２、動作表示用発光ダイオードＬＥＤ１を実装したプリント基板１６の回路に接続されている。プリント基板１６はプリント基板１５上に絶縁板１３’を介して配置され、表面側に実装されている動作切り換えスイッチＳＷ１、押釦スイッチＳＷ２及び動作表示用発光ダイオードＬＥＤ１はボディ２の開口部に被着されるカバー３内に収納される。
【００５８】
カバー３は突台部３ａが図２３中上方に突出しており、この突台部３ａが取付枠４’の器具取付孔５に図中下方から嵌合して上方へ突出する。
【００５９】
ここで動作切り換えスイッチＳＷ１の摘み１７にはスライド操作摘み部１８が、押釦スイッチＳＷ２の駆動釦１９には帽子状の押釦２０’が夫々被せられ、スライド操作摘み部１８の摘み１８ａの先部は突台部３ａの前面に開口した長孔４９より外部へ露出するようになっている。また押釦２０’の先端面は突台部３ａの前面に開口した開口部４８に臨むようになっている。また発光ダイオードＬＥＤ１はカバー３の突台部３ａの前面に開口した窓４７に対向するようになっている。
【００６０】
カバー３の突台部３ａの前面には、該前面を覆う化粧カバー５１が着脱自在に装着されるようになっている。この化粧カバー５１は枠状に形成され、枠で囲繞された部位には可撓性の樹脂製シート（メンブレンシート）５１ａが配設されている。ここでシート５１ａには上記長孔４９より突出せるスライド摘み部１８の摘み１８ａの先部をシート５１ａの前面側に露出させるための長孔５２をあけ、また上記開口部４８に臨んだ押釦２０’に対応するようにシート５１ａには「入／切」や対象負荷名の文字を記した押し操作エリア５３を示す枠が印刷され、また上記窓４７に対応して光が透過するように透明部位からなる表示部５４を設けており、この表示部５４を通して動作表示用発光ダイオードＬＥＤ１の光が外部より視認できるようになっている。
【００６１】
ここでカバー３とボディ２の結合固定について説明する。カバー３は取付枠４’の器具取付孔５の長手方向に対応する両側面の両端よりボディ２の両側面に沿うように一体的に弾性係止突片４５を垂下しており、この弾性係止突片４５に形成した角状の係止孔４６にボディ２の両側面の両端の凹平面２ｂに一体突出形成した角状の係止突起４３を係止させることによりボディ２に結合固定するのである。なお係止突起４３の上端は、弾性係止突片４５の下端が係止突起４３上に乗り上げ易くするためにテーパ面４４としてある。
【００６２】
また、このタイマスイッチＡ”ではカバー３の両端面に取付枠４’の一対の係止孔６、６に係止するための取付手段たる一対の係止爪５０，５０を夫々一体に突出形成してある。一方の端面側の係止爪突出部位の両側には切り込み３ｃを設け、係止爪５０，５０を取付枠４’の係止孔６，６に係止させる際に撓むことができるようになっている。また突出部位の下端の外側面には係止爪５０，５０と係止孔６，６との係止状態を外す際に外部より押すための突部３ｄを設けており、この突部３ｄはボディ３の周壁に形成した切り欠き２ｃより外部に臨むようになっている。
【００６３】
而して、上述のように構成され組み立てられたタイマスイッチＡ”は図２３に示す取付枠４’に装着されることにより建物の壁等に設けられた埋め込み孔、スイッチボックスへ取り付けられ、電子タイマ回路に対応する負荷（例えば換気扇）と交流電源との直列回路が先行配線された電線により器体１の裏面側の電線挿入孔を用いて接続されるのである。
【００６４】
この取付枠４’の前面側にはプレート枠３５’がねじ３６をねじ孔３９に締結することにより固定されるようになっている。またプレート枠３５の表側には化粧プレート３７が装着され、例えば取付枠４’の器具取付孔５の中央部に取り付けられたタイマスイッチのカバー３の突台部３ａに装着される化粧カバー５１が、化粧プレート３７の窓孔３８に嵌って室内側に露出される。
【００６５】
尚、化粧カバー５１は取付枠４’の両側幅に相当する幅を有するもので、器体１に装着するに当たっては、器体１を取付枠４’に取り付けた後、取付枠４’の器具取付孔５より表側に突出したカバー３の突台部３ａの前面に着脱自在に装着する。この装着はカバー３の突台部３ａの周縁に設けた係止凹部３ｅに化粧カバー５１の裏面に設けた係止爪（図示せず）を係止することにより行われる。
【００６６】
而して、タイマスイッチＡ”の電子タイマ回路は、化粧カバー５１のシート５１ａを介して押釦スイッチＳＷ２が押し操作されると、動作切り換えスイッチＳＷ１で設定されている動作モードにより換気扇ＲＬの運転を開始させ、タイマ動作中或いは連続動作中において、再度押釦スイッチＳＷ２が押し操作されると運転を停止させ、またタイマ動作時間が経過すると自動的に運転を停止させる。尚化粧カバー５１のシート５１ａ前面に突出している摘み１８ａを操作することにより、動作切り換えスイッチＳＷ１の切り換え操作ができ、この切り換え操作により電子タイマ回路の４時間のタイマ動作、２時間のタイマ動作或いは連続動作を選択設定することができる。
【００６７】
ところで、上述した各実施形態のタイマスイッチでは電子タイマ回路を換気扇制御用に作成した１チップのマイクロコンピュータにより構成しているので、長時間（例えば４時間）タイマを高い精度で実現することができ、また様々な機能を追加する際にも大幅な回路変更を行うことなく容易に対応することができる。
【００６８】
尚、上述の各実施形態では、電子タイマ回路の動作を４時間のタイマ動作、２時間のタイマ動作或いは連続動作に切り換えているが、タイマ時間を上記設定に限定する趣旨のものではなく、任意のタイマ時間に設定することができる。
【００６９】
【発明の効果】
上述のように請求項１の発明は、細長で長手方向に３組の器具取付手段が設けられた器具取付孔を有する取付枠に対応し、器具取付孔の長手方向に対する外形寸法が器具取付孔の長手方向寸法の略１／３の寸法を整数倍した寸法に形成され、取付枠の器具取付手段に取り付けるための取付手段を有する器体と、器体の内部に収納され、電子回路から構成されて所定のタイマ時間負荷を動作させる電子タイマ回路と、電子タイマ回路に具備され、電子タイマ回路の動作の入り切りを行うもので、操作用押釦が器体表面に開口した開口部に臨んだ押釦スイッチと、負荷及び電源の直列回路を接続するための接続端子と、器体の前面に装着され、開口部に臨む操作用押釦を前面側より押動可能な可撓性を有する化粧カバーとを備え、該化粧カバーを介して押釦スイッチを一定時間以上押し操作すると、押釦スイッチが押し操作されている間、電子タイマ回路のタイマ時間が予め設定された設定時間に順番に切り替わり、押釦スイッチの押し操作を止めた時点での設定時間がタイマ時間に設定されるとともに、負荷を操作するための操作スイッチを有する１乃至複数のスイッチ装置が接続され、各スイッチ装置に設けられた操作スイッチの操作に応じて電子タイマ回路が動作することを特徴とし、器具取付孔の長手方向に対する器体の外形寸法は器具取付孔の長手方向の略１／３の寸法を整数倍した寸法に形成され、取付枠の器具取付手段に取り付けるための取付手段を器体に設けているので、既存の取付枠を用いて埋め込み配線を行うことができ、しかも電子タイマ回路を用いているので、従来のメカニカルな遅延機構を有するスイッチに比べて高精度で長時間のタイマを実現できるという効果がある。
【００７４】
そのうえ請求項１の発明では、化粧カバーを介して押釦スイッチを一定時間以上押し操作すると、押釦スイッチが押し操作されている間、電子タイマ回路のタイマ時間が予め設定された設定時間に順番に切り替わり、押釦スイッチの押し操作を止めた時点での設定時間がタイマ時間に設定されるので、押釦スイッチとは別にタイマ時間を切り換えるためのスイッチを設ける必要がなく、部品数を減らしてコストダウンを図ることができ、しかも押釦スイッチの大きさを大きくすることができるから操作性が向上するという効果がある。しかも、負荷を操作するための操作スイッチを有する１乃至複数のスイッチ装置が接続され、各スイッチ装置に設けられた操作スイッチの操作に応じて上記電子タイマ回路が動作するので、１台の負荷をタイマスイッチと多箇所に設置されたスイッチ装置とで操作することができる。
【００７５】
請求項２の発明は、細長で長手方向に３組の器具取付手段が設けられた器具取付孔を有する取付枠に対応し、器具取付孔の長手方向に対する外形寸法が器具取付孔の長手方向寸法の略１／３の寸法を整数倍した寸法に形成され、取付枠の器具取付手段に取り付けるための取付手段を有する器体と、器体の内部に収納され、電子回路から構成されて所定のタイマ時間負荷を動作させる電子タイマ回路と、電子タイマ回路に具備され、電子タイマ回路の動作の入り切りを行うもので、操作用押釦が器体表面に開口した開口部に臨んだ押釦スイッチと、負荷及び電源の直列回路を接続するための接続端子と、器体の前面に装着され、開口部に臨む操作用押釦を前面側より押動可能な可撓性を有する化粧カバーとを備え、該化粧カバーを介して押釦スイッチを所定時間内に２回連続して押し操作すると、電子タイマ回路はタイマ時間の設定時間を切り換える動作モードに移行し、押釦スイッチを１回押し操作する毎にタイマ時間が予め設定された設定時間に順番に切り換わり、再度押釦スイッチを所定時間内に２回連続して押し操作するか又は一定時間以上押釦スイッチの押し操作を止めるか何れかの操作により、その時点での設定時間がタイマ時間に設定されるとともに、負荷を操作するための操作スイッチを有する１乃至複数のスイッチ装置が接続され、各スイッチ装置に設けられた操作スイッチの操作に応じて電子タイマ回路が動作することを特徴とし、器具取付孔の長手方向に対する器体の外形寸法は器具取付孔の長手方向の略１／３の寸法を整数倍した寸法に形成され、取付枠の器具取付手段に取り付けるための取付手段を器体に設けているので、既存の取付枠を用いて埋め込み配線を行うことができ、しかも電子タイマ回路を用いているので、従来のメカニカルな遅延機構を有するスイッチに比べて高精度で長時間のタイマを実現できるという効果がある。さらに押釦スイッチとは別にタイマ時間を切り換えるためのスイッチを設ける必要がないので、部品数を減らしてコストダウンを図ることができ、しかも押釦スイッチの大きさを大きくすることができるから操作性が向上するという効果がある。そのうえ、負荷を操作するための操作スイッチを有する１乃至複数のスイッチ装置が接続され、各スイッチ装置に設けられた操作スイッチの操作に応じて上記電子タイマ回路が動作するので、１台の負荷をタイマスイッチと多箇所に設置されたスイッチ装置とで操作することができる。
【００７６】
請求項３の発明は、請求項１又は２の発明において、上記器体の内部には、電子タイマ回路を構成する回路部品が実装された第１のプリント基板と、第１のプリント基板に実装された回路と電気的に接続され上記押釦スイッチが実装された第２のプリント基板とが納装され、上記器体はボディとカバーとを結合して構成され、第１及び第２のプリント基板は両基板の間に絶縁性のスペーサを介装した状態で、ボディとカバーとの間に挟持されることを特徴とし、第１及び第２のプリント基板はボディとカバーとで挟持することにより、器体の内部に固定されるので、第１及び第２のプリント基板を器体にねじ固定する場合に比べて取付作業を容易に行うことができ、且つ、第１及び第２のプリント基板にねじ固定するためのスペースを確保する必要がないから、配線パターンを形成できる面積を広くすることができ、その分基板を小型化してスイッチ全体の小型化を図ることができるという効果がある。
【００７７】
請求項４の発明は、請求項１乃至３の何れか１つの発明において、上記接続端子を介して電源供給され上記負荷のオフ時に上記電子タイマ回路の動作電源を生成する第１の電源回路と、負荷のオン時に電子タイマ回路の動作電源を生成する第２の電源回路とを設けたことを特徴とし、電子タイマ回路は負荷のオン時とオフ時とで異なる電源回路から電源供給されているので、第１及び第２の電源回路をそれぞれ負荷のオフ状態或いはオン状態に合わせた条件で設計することができ、負荷電圧の電圧歪みを低減した回路を実現できるという効果がある。
【００７９】
請求項５の発明は、請求項１乃至４の何れか１つの発明において、上記電子タイマ回路をマイクロコンピュータで構成したことを特徴とし、高精度で長時間のタイマを実現することができ、且つ、様々な機能を追加する際にもプログラムの変更などにより大幅な回路変更を行うことなく容易に対応できるという効果がある。
【図面の簡単な説明】
【図１】  基本構成のタイマスイッチを示す分解斜視図である。
【図２】  同上のタイマスイッチを示し、（ａ）は正面図、（ｂ）は上面図である。
【図３】  同上のタイマスイッチを右側からみた断面図である。
【図４】  同上のタイマスイッチを示し、（ａ）はカバーを外した状態の要部拡大図、（ｂ）はＡ−Ａ’線断面図である。
【図５】  同上のタイマスイッチのボディとカバーとを組み立てる前の状態を示す図である。
【図６】  同上のタイマスイッチを上側から見た要部断面図である。
【図７】  同上のタイマスイッチの回路図である。
【図８】  同上のタイマスイッチの使用状態を説明する説明図である。
【図９】  同上のタイマスイッチの使用状態を説明する結線図である。
【図１０】  同上のタイマスイッチの別の使用状態を説明するブロック図である。
【図１１】  同上のタイマスイッチのまた別の使用状態を説明する結線図である。
【図１２】（ａ）〜（ｃ）は同上のタイマスイッチの取付状態を説明する説明図である。
【図１３】  同上のタイマスイッチの動作を説明する状態遷移図である。
【図１４】  同上のタイマスイッチの別の動作を説明する状態遷移図である。
【図１５】  同上の別のタイマスイッチを示す正面図である。
【図１６】  同上のまた別のタイマスイッチを示す正面図である。
【図１７】  本実施形態のタイマスイッチを示す正面図である。
【図１８】  別の実施形態のタイマスイッチを示す正面図である。
【図１９】  参考例のタイマスイッチを示す分解斜視図である。
【図２０】  同上のタイマスイッチの使用状態を説明する説明図である。
【図２１】  同上のタイマスイッチの使用状態を説明する結線図である。
【図２２】  同上の別のタイマスイッチを示す分解斜視図である。
【図２３】  別の参考例のタイマスイッチを示す分解斜視図である。
【符号の説明】
Ａ  タイマスイッチ
ＳＷ１  動作切り換えスイッチ
ＳＷ２  押釦スイッチ
ＬＥＤ１  発光ダイオード
１  器体
２  ボディ
３  カバー
４  取付枠
５  器具取付孔
１５，１６  プリント基板
【図１】
0003788089.tif 000002
【図２】
0003788089.tif 000003
【図３】
0003788089.tif 000004
【図４】
0003788089.tif 000005
【図５】
0003788089.tif 000006
【図６】
0003788089.tif 000007
【図７】
0003788089.tif 000008
【図８】
0003788089.tif 000009
【図９】
0003788089.tif 000010
【図１０】
0003788089.tif 000011
【図１１】
0003788089.tif 000012
【図１２】
0003788089.tif 000013
【図１３】
0003788089.tif 000014
【図１４】
0003788089.tif 000015
【図１５】
0003788089.tif 000016
【図１６】
0003788089.tif 000017
【図１７】
0003788089.tif 000018
【図１８】
0003788089.tif 000019
【図１９】
0003788089.tif 000020
【図２０】
0003788089.tif 000021
【図２１】
0003788089.tif 000022
【図２２】
0003788089.tif 000023
【図２３】
0003788089.tif 000024